【事件の表示】
　平成　９年特許願第　　２３２４号「ＦＩＲフィルタを使用したヘッドホン装置」拒絶査定不服審判事件〔平成１０年　７月３１日出願公開、特開平１０−２０１０００〕について、次のとおり審決する。
【結　論】
　本件審判の請求は、成り立たない。
【理　由】
１．手続の経緯
　本願は、平成９年１月９日の出願であって、平成１８年１０月２７日付けで拒絶査定がなされ、これに対し、平成１９年１月１１日に審判請求がなされるとともに、同年２月１３日付けで手続補正がなされたものである。
　
２．本願発明について
（１）本願発明
　本願の請求項に係る発明（以下、本願発明という）は、平成１９年２月１３日付け手続補正書の特許請求の範囲の請求項１に記載された事項により特定される以下のとおりのものである。
  
「測定された左音源から受聴者の左耳までの第１のインパルス応答および左音源から受聴者の右耳までの第２のインパルス応答を再現するための複数の遅延器と乗算器と加算器によって構成された第１および第２のＦＩＲフィルタ部を有し、当該第１および第２のＦＩＲフィルタ部で入力左音声信号に対して上記第１および第２のインパルス応答をそれぞれ畳み込んで第１の左音声信号および第１の右音声信号を生成する第１の信号処理手段と、
　測定された右音源から受聴者の左耳までの第３のインパルス応答および右音源から受聴者の右耳までの第４のインパルス応答を再現するための複数の遅延器と乗算器と加算器によって構成された第３および第４のＦＩＲフィルタ部を有し、当該第３および第４のＦＩＲフィルタ部で入力右音声信号に対して上記第３および第４のインパルス応答をそれぞれ畳み込んで第２の左音声信号および第２の右音声信号を生成する第２の信号処理手段と、
　上記第１の左音声信号および上記第２の左音声信号を加算してヘッドホンの出力左音声信号を得る第１の加算手段と、
　上記第１の右音声信号および上記第２の右音声信号を加算してヘッドホンの出力右音声信号を得る第２の加算手段とを備え、
　上記第１と第２のＦＩＲフィルタ部において構成された上記複数の遅延器のみをそれぞれ共有化し、上記複数の乗算器および上記複数の加算器はそれぞれ独立に構成し、
　上記第３と第４のＦＩＲフィルタ部において構成された上記複数の遅延器のみをそれぞれ共有化し、上記複数の乗算器および上記複数の加算器はそれぞれ独立に構成することを特徴とするヘッドホン装置。」
　
（２）刊行物
　これに対して、原査定の拒絶の理由で引用された本願の出願前に頒布された刊行物である特開平６−１８９３９９号公報（以下、刊行物１という）には、図面とともに、次の事項が記載されている。
ア．「【０００８】
【実施例】本発明の音響信号処理装置の構成例を図面と共に説明する。図１（Ａ）は、５チャンネルの音響信号が供給され、前方に配置された１対のスピーカｓｐ１，ｓｐ２で再生する場合の例を示した構成図である。そして、同図に示す音響信号処理装置１は、２チャンネルステレオ信号Ｌ，Ｒ、１チャンネルのセンタチャンネル信号Ｃ及び２チャンネルのサラウンド（リア）チャンネル信号ＳＬ，ＳＲの合計５チャンネルの音響信号が供給され、次に説明する音像定位制御方法に基づいてこれらの信号を処理し、前方に配置された１対のスピーカｓｐ１，ｓｐ２にそれぞれのスピーカｓｐ１，ｓｐ２から出力されるのに適した音響信号を出力するものである。この結果、センタスピーカｓｐ３や１対のリアスピーカｓｐ４，ｓｐ５を配置しなくても、前方に配置された１対のスピーカｓｐ１，ｓｐ２だけで受聴者Ｍの後方に定位する音像や受聴者Ｍの後方にまで広がる図中点線で示すような音場を表現することができる。
【０００９】ここで、音像定位制御方法の基本原理について説明する。これは、離間して配設された一対のスピーカを使用し、空間の任意の位置に音像を定位させる技術である。図９は音像定位の原理図である。ｓｐ１，ｓｐ２は受聴者Ｍの前方左右に配置されるスピーカであり、スピーカｓｐ１から受聴者Ｍの左耳までの頭部伝達特性（インパルス応答）をｈ１Ｌ、右耳までの頭部伝達特性をｈ１Ｒ、スピーカｓｐ２から左右耳までの頭部伝達特性をｈ２Ｌ，ｈ２Ｒとする。また、目的とする定位位置ｘに実際のスピーカを配置したときの受聴者Ｍの左右耳までの頭部伝達特性をｐＬｘ，ｐＲｘとする。ここで各伝達特性は音響空間にスピーカと、ダミーヘッド（または人頭）の両耳位置にマイクを配置して実際に測定したものに、適切な波形処理などを施したものである。
【００１０】次に、定位させたい音源ソースＸを信号変換装置ｃｆＬｘ，ｃｆＲｘ（コンボルバなどによる伝達特性）に通して得られる信号を、それぞれスピーカｓｐ１，ｓｐ２で再生することを考える。このとき受聴者Ｍの左右耳に得られる信号をｅＬ，ｅＲとすると、
　　ｅＬ＝ｈ１Ｌ・ｃｆＬｘ・Ｘ＋ｈ２Ｌ・ｃｆＲｘ・Ｘ  　　    　 (式1)  
　  ｅＲ＝ｈ１Ｒ・ｃｆＬｘ・Ｘ＋ｈ２Ｒ・ｃｆＲｘ・Ｘ　　　　　　 (〃 )
　一方、音源ソースＸを目的とする音像の定位位置ｘから再生したときに受聴者Ｍの左右耳に得られる信号をｄＬ，ｄＲとすると、
　　ｄＬ＝ｐＬｘ・Ｘ    　　    　                               (式2)
　　ｄＲ＝ｐＲｘ・Ｘ　　　　　　　　　　　　　　　　　　　　　　 (〃 )
【００１１】ここで、スピーカｓｐ１，ｓｐ２の再生により受聴者Ｍの左右耳に得られる信号ｅＬ，ｅＲが、目的とする音像の定位位置ｘから音源ソースＸを再生したときの信号ｄＬ，ｄＲに一致すれば、受聴者Ｍはあたかも目的とする音像の定位位置ｘにスピーカが存在するように音像を認識することとなる。この条件ｅＬ＝ｄＬ，ｅＲ＝ｄＲと（式１），（式２）より、Ｘを消去して
　　ｈ１Ｌ・ｃｆＬｘ＋ｈ２Ｌ・ｃｆＲｘ＝ｐＬｘ　               (式3)
　　ｈ１Ｒ・ｃｆＬｘ＋ｈ２Ｒ・ｃｆＲｘ＝ｐＲｘ　　　　　　　　 (〃 )
（式３）からｃｆＬｘ，ｃｆＲｘを求めると
　　ｃｆＬｘ＝（ｈ２Ｒ・ｐＬｘ−ｈ２Ｌ・ｐＲｘ）／Ｈ  　       (式4a) 　
　　ｃｆＲｘ＝（−ｈ１Ｒ・ｐＬｘ＋ｈ１Ｌ・ｐＲｘ）／Ｈ　　　　 (〃  ) 
　　　　ただし、    Ｈ＝ｈ１Ｌ・ｈ２Ｒ−ｈ２Ｌ・ｈ１Ｒ         (式4b) 
したがって、（式４ａ），（式４ｂ）により算出した伝達特性ｃｆＬｘ，ｃｆＲｘを用いてコンボルバ（畳み込み演算処理回路）等により定位させたい信号を処理すれば、目的とする音像の定位位置ｘに音像を定位させることができる。
【００１２】具体的な信号変換装置の実現方法は様々考えられるが、非対称なＦＩＲデジタルフィルタ（コンボルバ）を用いて実現すれば良い。なお、ＦＩＲデジタルフィルタで用いる場合の最終の伝達特性は、時間応答関数である。つまり、必要な目的とする音像の定位位置ｘにおける伝達特性をｃｆＬｘ，ｃｆＲｘとして、（式４ａ），（式４ｂ）で求めたものを、１回のＦＩＲフィルタ処理により実現するための係数として、ｃｆＬｘ，ｃｆＲｘの係数をあらかじめ作成し、ＲＯＭのデータとして準備しておく。ＲＯＭから必要な音像定位位置の係数をＦＩＲデジタルフィルタに転送し、音源からの信号を畳み込み演算処理して一対のスピーカから再生すれば、所望の任意の位置に音像が定位されることになる。
【００１３】以上のような原理に基づいて音響信号処理装置の一般的な構成を示すと図１０のようになる。例えば、立体音響再生装置として、受聴者Ｍを中心として左右３０度づづ離間して前方に一対のスピーカｓｐ１，ｓｐ２を配設し、これら一対のスピーカｓｐ１，ｓｐ２には、一対のコンボルバ（畳み込み演算処理回路）５，６で処理され
た音響信号が再生されるように構成する。一対のコンボルバ５，６には、同一の音源Ｘからの信号（仮想スピーカから出力される空間位置に音像を定位させる信号）が供給されると共に、ＩＲ（インパルス応答）の係数ｃｆＬｘ、ｃｆＲｘ（例えば、仮想スピーカを左後方１２０度（θ＝２４０度）の位置に配置したものとして音像定位させたい時は、θ＝２４０度の係数）が、選択されてコンボルバ５，６に設定される。例えば、立体音響再生装置に内蔵されるメインＣＰＵ（中央演算装置）からの音像定位命令にもとづいてコントロール用サブＣＰＵ２が係数ＲＯＭ３から、所望の仮想スピーカ位置の係数を一対のコンボルバ５，６に転送する。
【００１４】このようにして、一対のコンボルバ５，６により音源Ｘからの信号は時間軸上で畳み込み演算処理がなされ、アンプ７，８を介して離間して配設された一対のスピーカｓｐ１，ｓｐ２から再生される。一対のスピーカｓｐ１，ｓｐ２から再生された音は、両耳へのクロストークがキャンセルされて、所望の位置に音源があるように音像定位して、受聴者Ｍに聞かれ、極めて現実感に満ちた音として再生される。
【００１５】なお、再生のためのトランスジューサとしてはー対のスピーカｓｐ１，ｓｐ２のかわりにヘッドホーンを用いることもできる。この場合は、頭部伝達関数（Head Related Transfer Function；以下、ＨＲＴＦと称する）の測定条件が異なるので、係数を別に準備して再生状況に応じて切換えると良い。」
　
イ．「【００１９】図１（Ｂ）は本発明の音響信号処理装置の第１の実施例を示す構成図である。同図に示す第１の実施例は、同一の音源から２チャンネルステレオ信号Ｌ，Ｒと、ドルビーサラウンド信号などの１チャンネル以上の空間音像定位処理を施す信号Ｓ１，Ｓ２が供給された場合に、空間信号Ｓ１，Ｓ２を畳み込み演算処理した空間音像定位信号ｌ１，ｒ１，ｌ２，ｒ２をステレオ信号Ｌ，Ｒにそれぞれ加算出力し、受聴者の前方に配置されたＬ側とＲ側の２本のスピーカから再生して、各々の空間音像定位処理を施す信号Ｓ１，Ｓ２が意図した空間位置に音像を定位させるように処理する音響信号処理装置である。
【００２０】まず、ステレオ信号Ｌ，Ｒと空間音像定位処理を施す信号Ｓ１，Ｓ２は、付加回路１２に供給され、必要に応じて信号振幅調整や反射音を付加されてから、ステレオ信号Ｌ，Ｒは、それぞれ直接、信号加算回路１４Ｌ，１４Ｒに供給され、空間音像定位処理を施す信号Ｓ１，Ｓ２は、それぞれ信号処理回路１３ａ，１３ｂに供給される。
【００２１】そして、信号処理回路１３ａ，１３ｂには、コントローラ１０によって指定された係数が、係数ＲＯＭ１１から供給され、空間音像定位処理を施す信号Ｓ１，Ｓ２にこの係数を使用して上述した音像定位制御方法に基づく畳み込み演算処理を行って、それぞれ空間定位信号ｌ１，ｒ１，ｌ２，ｒ２を出力する。さらに、この空間定位信号ｌ１，ｒ１，ｌ２，ｒ２のうち、空間定位信号ｌ１，ｌ２はステレオ信号Ｌと共に信号加算回路１４Ｌに供給されて、図示せぬ左（Ｌ）側スピーカに加算出力され、空間定位信号ｒ１，ｒ２はステレオ信号Ｒと共に、信号加算回路１４Ｒに供給されて、図示せぬ右（Ｒ）側スピーカに加算出力される。
【００２２】このような処理を行う音響信号処理装置は、Ｌ側とＲ側の２本のスピーカからの再生により、受聴者の後方に定位する音像や受聴者の後方にまで広がる音場を
表現することができる。そして、信号処理回路１３ａ，１３ｂ中のＦＩＲフィルタ（コンボルバ）の係数をコントローラ１０と係数ＲＯＭ１１とを用いて可変にすることができるので、Ｌ側とＲ側の２本のスピーカ位置と受聴者との位置関係から、最適な仮想スピーカの空間定位位置にすることができ、立体音響の効果を最大限に生かすことができる。なお、空間音像定位処理を施す信号Ｓ１，Ｓ２が３チャンネル以上ある場合でも、信号処理回路を増やして対応することができる。」
　
　以上の記載及び図面（特に図１）の記載を総合すると、刊行物１には以下の発明（以下、刊行物１発明という）が記載されている。
　
　空間音像定位処理を施す信号Ｓ１、Ｓ２を、それぞれ、信号処理回路１３ａ、１３ｂに入力し、該信号処理回路１３ａ、１３ｂは、空間の任意の位置に音像を定位させるための係数を使用して畳み込み演算処理を２つのコンボルバ（ＦＩＲフィルタ）により行って、空間定位信号ｌ１、ｒ１、ｌ２、ｒ２を出力し、さらに、この空間定位信号ｌ１，ｒ１，ｌ２，ｒ２のうち、空間定位信号ｌ１，ｌ２はステレオ信号Ｌと共に信号加算回路１４Ｌに供給されて、左（Ｌ）側スピーカに加算出力し、空間定位信号ｒ１，ｒ２はステレオ信号Ｒと共に、信号加算回路１４Ｒに供給されて、右（Ｒ）側スピーカに加算出力する音響信号処理装置であって、スピーカのかわりにヘッドホーンを用いることもでき、この場合は、頭部伝達関数の測定条件が異なるので、係数を別に準備する音響信号処理装置。
　
　原査定の拒絶の理由で引用された本願の出願前に頒布された刊行物である特開平４−１４９５９８号公報（以下、刊行物２という）には、第１図とともに、次の事項が記載されている。
ウ．「２．特許請求の範囲
　（１）入力オーディオ信号を１サンプルデータ毎に遅延用メモリによって遅延させて複数の異なる遅延時間の遅延データを作成する遅延手段と、その各遅延データに係数を乗算して反射音データを作成しかつその各反射音データを加算する乗加算手段とからなるＦＩＲフィルタを備え、前記ＦＩＲフィルタの出力信号に応じてスピーカを駆動する信号を得る音場補正装置であって、前記ＦＩＲフィルタは１つの遅延手段に対して複数の乗加算手段を有して複数の出力信号を生成することを特徴とする音場補正装置。」（第１頁左下欄第４−１５行）
　
（３）対比
　本願発明と刊行物１発明とを対比する。
　
　刊行物１発明は、スピーカのかわりにヘッドホーンを用いることもできる音響信号処理装置であるから、このヘッドホーンを用いた場合は「ヘッドホン装置」といえるものである。
　
　刊行物１発明において、空間の任意の位置に音像を定位させるための係数を使用して畳み込み演算処理を行う２つのコンボルバ（ＦＩＲフィルタ）は、インパルス応答を再現するための複数の遅延器と乗算器と加算器によって構成されたものであることは明らかであり、また、この２つのコンボルバ（ＦＩＲフィルタ）は、インパルス応答を畳み込んで音声信号を生成するものであるといえる。
　また、刊行物１発明の、「空間音像定位処理を施す信号Ｓ１」、「空間音像定位処理を施す信号Ｓ２」と、本願発明の「入力左音声信号」、「入力右音声信号」は、何れも入力音声信号（それぞれ「入力音声信号１」、「入力音声信号２」とする）である点では共通し、さらに、刊行物１発明の「信号処理回路１３ａ」、「信号処理回路１３ｂ」、「（信号処理回路１３ａの）２つのコンボルバ（ＦＩＲフィルタ）」、「（信号処理回路１３ｂの）２つのコンボルバ（ＦＩＲフィルタ）」、「空間定位信号ｌ１、ｒ１」、「空間定位信号ｌ２、ｒ２」は、それぞれ、本願発明の「第１の信号処理手段」、「第２の信号処理手段」、「第１および第２のＦＩＲフィルタ部」、「第３および第４のＦＩＲフィルタ部」、「第１の左音声信号および第１の右音声信号」、「第２の左音声信号および第２の右音声信号」に相当する。
　したがって、両者は、「第１のインパルス応答および第２のインパルス応答を再現するための複数の遅延器と乗算器と加算器によって構成された第１および第２のＦＩＲフィルタ部を有し、当該第１および第２のＦＩＲフィルタ部で入力音声信号１に対して上記第１および第２のインパルス応答をそれぞれ畳み込んで第１の左音声信号および第１の右音声信号を生成する第１の信号処理手段と、
　第３のインパルス応答および第４のインパルス応答を再現するための複数の遅延器と乗算器と加算器によって構成された第３および第４のＦＩＲフィルタ部を有し、当該第３および第４のＦＩＲフィルタ部で入力音声信号２に対して上記第３および第４のインパルス応答をそれぞれ畳み込んで第２の左音声信号および第２の右音声信号を生成する第２の信号処理手段と」を備えた点で共通する。
　
　刊行物１発明の「信号加算回路１４Ｌ」、「信号加算回路１４Ｒ」は、「空間定位信号ｌ１，ｌ２」、「空間定位信号ｒ１，ｒ２」を加算出力するものであるから、本願発明の「上記第１の左音声信号および上記第２の左音声信号を加算してヘッドホンの出力左音声信号を得る第１の加算手段」、「上記第１の右音声信号および上記第２の右音声信号を加算してヘッドホンの出力右音声信号を得る第２の加算手段」に相当する。
　
　したがって、本願発明と刊行物１発明の一致点及び相違点は次のとおりである。
　
［一致点］
　第１のインパルス応答および第２のインパルス応答を再現するための複数の遅延器と乗算器と加算器によって構成された第１および第２のＦＩＲフィルタ部を有し、当該第１および第２のＦＩＲフィルタ部で入力音声信号１に対して上記第１および第２のインパルス応答をそれぞれ畳み込んで第１の左音声信号および第１の右音声信号を生成する第１の信号処理手段と、
　第３のインパルス応答および第４のインパルス応答を再現するための複数の遅延器と乗算器と加算器によって構成された第３および第４のＦＩＲフィルタ部を有し、当該第３および第４のＦＩＲフィルタ部で入力音声信号２に対して上記第３および第４のインパルス応答をそれぞれ畳み込んで第２の左音声信号および第２の右音声信号を生成する第２の信号処理手段と、
　上記第１の左音声信号および上記第２の左音声信号を加算してヘッドホンの出力左音声信号を得る第１の加算手段と、
　上記第１の右音声信号および上記第２の右音声信号を加算してヘッドホンの出力右音声信号を得る第２の加算手段とを備えたヘッドホン装置。
　
［相違点１］
　本願発明では、第１ないし第４のＦＩＲフィルタ部の第１ないし第４のインパルス応答が、「測定された左（左、右、右）音源から受聴者の左（右、左、右）耳までの第１（第２、第３、第４）のインパルス応答」であるのに対し、刊行物１発明では、各コンボルバのインパルス応答は、空間の任意の位置に音像を定位させるためのものではあるが、ヘッドホーンを用いた場合の具体的な構成は特定されていない点。
　
［相違点２］
　「入力音声信号１」、「入力音声信号２」は、本願発明においては、「入力左音声信号」、「入力右音声信号」であるのに対し、刊行物１発明では、それぞれ、空間音像定位処理を施す信号のうちの１つである点。
　
［相違点３］
　本願発明は、「上記第１と第２のＦＩＲフィルタ部において構成された上記複数の遅延器のみをそれぞれ共有化し、上記複数の乗算器および上記複数の加算器はそれぞれ独立に構成し、
　上記第３と第４のＦＩＲフィルタ部において構成された上記複数の遅延器のみをそれぞれ共有化し、上記複数の乗算器および上記複数の加算器はそれぞれ独立に構成する」ものであるのに対し、刊行物１発明はそのように構成されたものであるかどうか明らかではない点。
　
（４）当審の判断
　上記相違点１、相違点２について併せて考察する。
　ヘッドホンを用いて、あたかも前方左右に配置されるスピーカから再生されているかのように音を定位させて聴取するために、スピーカから聴取者の耳までの頭部伝達特性を測定し、これを左右の入力音声信号に畳み込み演算を行うコンボルバの係数として用い、演算出力をヘッドホンに供給することは周知技術（＊）である。
　したがって、刊行物１発明において、ヘッドホーンを用いた場合に、音像を定位させるためのコンボルバの係数を準備するときに、スピーカから聴取者の耳までの頭部伝達特性、すなわち、音源から受聴者の耳までのインパルス応答を測定してそれを再現するように、左右の入力音声信号に畳み込み演算を行うコンボルバの係数を決定することは当業者が容易になし得ることである。
　
（＊）例えば、特開平８−３３６１９８号公報には、図１、図２とともに以下のように記載されている。
「【００１１】即ち、図２に示すように、ＳＰ１，ＳＰ２は聴取者１１の前方左右に配置されるスピーカである。スピーカＳＰ１から聴取者１０の左耳までの頭部伝達特性（即ち、後述する図３に示すインパルス）をＨＬｌ、右耳までの頭部伝達特性をＨＬｒ、スピーカＳＰ２から左右耳までの頭部伝達特性をＨＲｌ，ＨＲｒとする。ここで各伝達特性は音響空間にスピーカと、聴取者１１に代わるダミーヘッドの左右耳位置にマイクロホンを配置して実際に測定したものに、適切な波形処理などを施したものである。
【００１２】こうして得られた頭部伝達特性ＨＬｌ，ＨＬｒ，ＨＲｌ，ＨＲｒにヘッドホン特性のキャンセル処理を施したものが定位係数（ｃｆＬｌ，ｃｆＬｒ，ｃｆＲｌ，ｃｆＲｒ）となる（即ち、頭部伝達関数をＨＬｌ，ＨＬｒ，ＨＲｌ，ＨＲｒとして、これらをヘッドホン特性の逆特性で処理したものが、ｃｆＬｌ，ｃｆＬｒ，ｃｆＲｌ，ｃｆＲｒとなる）。これらの定位係数を、図１に示すコンボルバ４〜７のコンボルバ係数として用いる。」
　
　次に、上記相違点３について考察する。
　刊行物２には、入力オーディオ信号に対して、２つの出力信号を生成するＦＩＲフィルタにおいて、複数の遅延用メモリからなる１つの遅延手段に対して複数の乗加算手段を有して複数の出力信号を生成するものが記載されている。
　刊行物１発明において、ＦＩＲフィルタの具体的な構成をどのようなものとするかは必要に応じて任意に設計し得ることであるから、刊行物１発明において、信号処理回路１３ａおよび信号処理回路１３ｂの両方に、それぞれ、刊行物２に記載された上記ＦＩＲフィルタを用いることは当業者が容易になし得ることである。
　
　したがって、本願発明は、刊行物１発明、刊行物２に記載された技術及び周知技術に基づいて、当業者が容易に発明をすることができたものである。
　
３．むすび
　以上のとおり、本願の請求項１に係る発明は、刊行物１に記載された発明、刊行物２に記載された技術及び周知技術に基づいて、当業者が容易に発明をすることができたものであるから、特許法第２９条第２項の規定により特許を受けることができない。
　したがって、本願は拒絶すべきものである。
　よって、結論のとおり審決する。